(57)【特許請求の範囲】
【請求項１】
パネルに設けられている楕円形または長円形のパネル貫通孔に弾性的に密着嵌合する楕円形状または長円形状をしたパネル貫通孔嵌合閉塞部と、前記パネル貫通孔嵌合閉塞部の閉塞面に設けられている長尺体挿通部とを備えて軟質弾性材で形成されているグロメットにおいて、
前記長尺体挿通部は前記パネル貫通孔嵌合閉塞部の閉塞面にその中心から偏心させて設けられ、
前記パネル貫通孔嵌合閉塞部の閉塞面にはその中心と前記長尺体挿通部の中心とを通る仮想線上若しくはその近傍に突出部が設けられ、
前記突出部は、前記閉塞面の中心に対して前記長尺体挿通部とは反対側に偏心した位置に設けられていることを特徴とするグロメット。
【請求項２】
前記パネル貫通孔嵌合閉塞部の閉塞面の中心から前記長尺体挿通部の中心までの距離と、前記パネル貫通孔嵌合閉塞部の閉塞面の中心から前記突出部の中心までの距離とが等しいことを特徴とする請求項１に記載のグロメット。
【発明の詳細な説明】
【０００１】
【発明の属する技術分野】
本発明は、ワイヤーハーネス電線や配管等の長尺体を自動車等のパネルに設けられている楕円形または長円形のパネル貫通孔に挿通・固定する際に、このパネル貫通孔に弾性的に密着嵌合して密閉するために用いるグロメットに関するものである。
【０００２】
【従来の技術】
図３に示すようにパネル１に設けられている楕円形または長円形のパネル貫通孔２に弾性的に密着嵌合して密閉するために用いる従来のグロメット３は、図４（Ａ）〜（Ｄ）に示すように、パネル貫通孔２に弾性的に密着嵌合する楕円形状または長円形状をしたパネル貫通孔嵌合閉塞部４と、該パネル貫通孔嵌合閉塞部４の閉塞面４ａの中心に設けられている長尺体挿通部５とを備えてゴムや合成樹脂等の軟質弾性材で形成された構造になっている。パネル貫通孔嵌合閉塞部４は、その外周の厚み方向の中間に設けられているパネル取付け環状溝４ｂと、この環状溝４ｂに対して該パネル貫通孔嵌合閉塞部４の厚み方向の一方側の外周に存在する変形許容鍔部分４ｃと、この環状溝４ｂに対して該パネル貫通孔嵌合閉塞部４の厚み方向の他方の側の外周に存在してパネル１に当接されるパネル当接鍔部分４ｄとを有して構成されている。変形許容鍔部分４ｃは、パネル貫通孔２に弾性変形させて通した後で抜けないように該パネル貫通孔２より若干大きな径で形成されている。パネル当接鍔部分４ｄは、パネル貫通孔２を通り抜けできず且つパネル１の一方の面に当接して該グロメット３の姿勢を安定させられるような大きさで形成されている。長尺体挿通部５はワイヤーハーネス電線や配管等の長尺体を貫通させる部分であって、貫通させるべき長尺体の外径より若干小さな孔５ａを有する筒状をなしていて、パネル貫通孔嵌合閉塞部４の閉塞面４ａの中心部に設けられている。
【０００３】
【発明が解決しようとする課題】
しかしながら、このような構造の従来のグロメットでは、パネル貫通孔嵌合閉塞部４の閉塞面４ａの中心に長尺体挿通部５が設けられているので、パネル貫通孔嵌合閉塞部４の閉塞面４ａの中心の前方または後方に障害物が存在すると、使用できない問題点があった。
【０００４】
障害物を避けるため、長尺体挿通部５をパネル貫通孔嵌合閉塞部４の閉塞面４ａの中心から偏心させた位置に設けることが考えられるが、このグロメットのパネル１のパネル貫通孔２に対する取付けは、長尺体挿通部５を作業者が持って前後方向へ引き抜く或いは押し込む方法で行なうため、長尺体挿通部５が偏心していると、該長尺体挿通部５と対角をなす部分に力が入らず、パネル貫通孔２に対する取付けが行いにくい問題点がある。
【０００５】
本発明の目的は、パネル貫通孔嵌合閉塞部の閉塞面の中心の前方または後方に障害物が存在していても使用でき、しかもパネル貫通孔に対する取付けも容易に行えるグロメットを提供することにある。
【０００６】
【課題を解決するための手段】
本発明は、パネルに設けられている楕円形または長円形のパネル貫通孔に弾性的に密着嵌合する楕円形状または長円形状をしたパネル貫通孔嵌合閉塞部と、該パネル貫通孔嵌合閉塞部の閉塞面に設けられている長尺体挿通部とを備えて軟質弾性材で形成されているグロメットを改良するものである。
【０００７】
本発明に係るグロメットにおいては、長尺体挿通部が、パネル貫通孔嵌合閉塞部の閉塞面にその中心から偏心させて設けられている。またパネル貫通孔嵌合閉塞部の閉塞面には、その中心と長尺体挿通部とを通る仮想線上若しくはその近傍に突出部が設けられている。この突出部は、閉塞面の中心に対して長尺体挿通部とは反対側に偏心した位置に設けられている。
【０００８】
このようなグロメットでは、長尺体挿通部がパネル貫通孔嵌合閉塞部の閉塞面にその中心から偏心させて設けられているので、パネル貫通孔嵌合閉塞部の閉塞面の中心の前方または後方に障害物が存在していても使用することができる。
【０００９】
また、パネル貫通孔嵌合閉塞部の閉塞面にはその中心と長尺体挿通部の中心とを通る仮想線上若しくはその近傍で、かつ閉塞面の中心に対して長尺体挿通部とは反対側に偏心した位置に突出部が設けられているので、長尺体挿通部と突出部とを利用することにより、長尺体挿通部が閉塞面に偏心して存在していても該グロメットのパネル貫通孔に対する取付けを容易に行うことができる。
【００１０】
【発明の実施の形態】
図１（Ａ）〜（Ｄ）は、本発明に係るグロメットにおける実施の形態の一例を示したものである。なお、前述した図４（Ａ）〜（Ｄ）に示す従来例のグロメットと対応する部分には、同一符号を付けて示している。
【００１１】
本例のグロメット３は、パネル貫通孔２に弾性的に密着嵌合する楕円形状または長円形状をしたパネル貫通孔嵌合閉塞部４と、該パネル貫通孔嵌合閉塞部４の閉塞面４ａに設けられている長尺体挿通部５とを備えてゴムや合成樹脂等の軟質弾性材で形成されている点は、従来例と同様である。また、パネル貫通孔嵌合閉塞部４が、その外周の厚み方向の中間に設けられているパネル取付け環状溝４ｂと、この環状溝４ｂに対して該パネル貫通孔嵌合閉塞部４の厚み方向の一方側の外周に存在する変形許容鍔部分４ｃと、この環状溝４ｂに対して該パネル貫通孔嵌合閉塞部４の厚み方向の他方の側の外周に存在してパネル１に当接されるパネル当接鍔部分４ｄとを有して構成されている点、及び変形許容鍔部分４ｃが、パネル貫通孔２に弾性変形させて通した後で抜けないように該パネル貫通孔２より若干大きな径で形成されている点、パネル当接鍔部分４ｄが、パネル貫通孔２を通り抜けできず且つパネル１の一方の面に当接して該グロメット３の姿勢を安定させられるような大きさで形成されている点、長尺体挿通部５がワイヤーハーネス電線や配管等の長尺体を貫通させる部分であって、貫通させるべき長尺体の外径より若干小さな孔５ａを有する筒状をなしている点等も、従来例と同様である。
【００１２】
本例のグロメット３においては、長尺体挿通部５はパネル貫通孔嵌合閉塞部４の閉塞面４ａにその中心Ｓから偏心させて図示のように設けられている。また、パネル貫通孔嵌合閉塞部４の閉塞面４ａには、その中心Ｓと長尺体挿通部５の中心とを通る仮想線６上に突出部７が設けられている。突出部７は、閉塞面４ａの中心Ｓに対して長尺体挿通部５とは反対側に偏心した位置に設けられていて、パネル貫通孔に対する取付け時に、操作力を加えて操作を行える機械的強度を有する太さと長さをもっている。この場合、中心Ｓから長尺体挿通部５の中心までの距離と、中心Ｓから突出部７の中心までの距離はほぼ等しくなっている。
【００１３】
このようなグロメット３では、長尺体挿通部５をパネル貫通孔嵌合閉塞部４の閉塞面４ａにその中心から偏心させて設けているので、図２（Ａ）のようにパネル貫通孔嵌合閉塞部４の閉塞面４ａの中心の後方（または前方）の左側、或いは図２（Ｂ）のように閉塞面４ａの中心の後方（または前方）の右側に障害物８が存在していても取付け方を左右逆にすることにより使用することができる。即ち、本例のグロメット３によれば、障害物８が存在しない側に長尺体挿通部５を位置させて、この長尺体挿通部５に挿通させたワイヤーハーネス電線や配管等の長尺体９を障害物８を避けて配置することができる。
【００１４】
また、パネル貫通孔嵌合閉塞部４の閉塞面４ａには、その中心８と長尺体挿通部５の中心とを通る仮想線６上に突出部７を設けているので、長尺体挿通部５と突出部７とを作業者が掴んで操作することにより、長尺体挿通部５が閉塞面４ａに偏心して存在していても該グロメット３のパネル貫通孔に対する取付けを容易に行うことができる。特に、パネル貫通孔嵌合閉塞部４の閉塞面４ａの中心Ｓから長尺体挿通部５の中心までの距離と、閉塞面４ａの中心Ｓから突出部７の中心までの距離がほぼ等しくなっていると、パネル貫通孔嵌合閉塞部４にバランスさせて操作力を作用させて、パネル貫通孔に対する取付けを一層容易に行うことができる。
【００１５】
なお、上記例では、閉塞面４ａに設ける突出部７を、閉塞面４ａの中心Ｓと長尺体挿通部５の中心とを通る仮想線６上に設けたが、本発明はこれに限定されるものではなく、該突出部７は閉塞面４ａの中心Ｓと長尺体挿通部５の中心とを通る仮想線６の近傍に設けても同様の効果を得ることができる。
【００１６】
以下、本明細書に記載した複数の発明のいくつかについて、その構成要件を記載すると、次の通りである。
【００１７】
（１）  パネルに設けられている楕円形または長円形のパネル貫通孔に弾性的に密着嵌合する楕円形状または長円形状をしたパネル貫通孔嵌合閉塞部と、前記パネル貫通孔嵌合閉塞部の閉塞面に設けられている長尺体挿通部とを備えて軟質弾性材で形成されているグロメットにおいて、
前記長尺体挿通部は前記パネル貫通孔嵌合閉塞部の閉塞面にその中心から偏心させて設けられ、
前記パネル貫通孔嵌合閉塞部の閉塞面にはその中心と前記長尺体挿通部の中心とを通る仮想線上若しくはその近傍に突出部が設けられていることを特徴とするグロメット。
【００１８】
（２）  前記突出部は、パネル貫通孔に対する取付け時に、操作力を加えて操作を行える機械的強度を有する太さと長さをもっていることを特徴とする前記（１）に記載のグロメット。
【００１９】
（３）  前記パネル貫通孔嵌合閉塞部の閉塞面の中心から前記長尺体挿通部の中心までの距離と、前記閉塞面の中心から前記突出部の中心までの距離がほぼ等しくなっていることを特徴とする前記（１）または（２）に記載のグロメット。
【００２０】
【発明の効果】
本発明に係るグロメットにおいては、長尺体挿通部をパネル貫通孔嵌合閉塞部の閉塞面にその中心から偏心させて設けているので、パネル貫通孔嵌合閉塞部の閉塞面の中心の前方または後方に障害物が存在していても支障なく使用することができる。
【００２１】
また、パネル貫通孔嵌合閉塞部の閉塞面には、その中心と長尺体挿通部の中心とを通る仮想線上若しくはその近傍で、かつ閉塞面の中心に対して長尺体挿通部とは反対側に偏心しした位置に突出部を設けているので、長尺体挿通部と突出部とを利用することにより、長尺体挿通部が閉塞面に偏心して存在していても、該グロメットのパネル貫通孔に対する取付けを容易に行うことができる。
【図面の簡単な説明】
【図１】  （Ａ）〜（Ｄ）は本発明に係るグロメットにおける実施の形態の一例を示したもので、（Ａ）は正面図、（Ｂ）は背面図、（Ｃ）は（Ａ）の右側面図、（Ｄ）は（Ａ）の平面図である。
【図２】  （Ａ）（Ｂ）は本例のグロメットの使用状態の２種の例を示す平面図である。
【図３】  グロメットを取付けるパネルのパネル貫通孔部分の正面図である。
【図４】  （Ａ）〜（Ｄ）は従来のグロメットの例を示したもので、（Ａ）は正面図、（Ｂ）は背面図、（Ｃ）は（Ａ）の右側面図、（Ｄ）は（Ａ）の平面図である。
【符号の説明】
１  パネル
２  パネル貫通孔
３  グロメット
４  パネル貫通孔嵌合閉塞部
４ａ  閉塞面
４ｂ  パネル取付け環状溝
４ｃ  変形許容鍔部分
４ｄ  パネル当接鍔部分
５  長尺体挿通部
５ａ  孔
６  仮想線
７  突出部
８  障害物
９  長尺体
【図１】
0003824721.tif 000002
【図２】
0003824721.tif 000003
【図３】
0003824721.tif 000004
【図４】
0003824721.tif 000005